(57)【要約】【課題】粘着シートを身体に貼着する必要がなく、それでいて身体の所望の位置に所望の個数のチップ部品を当接させることができる構造の装身シートを提供する。【解決手段】シート本体１１０に形成されている複数の貫通孔１１１にチップ部品１２０が着脱自在に装着されることにより、シート本体１１０に対するチップ部品１２０の位置が自在に変更されるので、粘着シートを身体に粘着させるような構成を必要とすることなく、チップ部品１２０を身体の所望の位置に当接させることができる。【選択図】図１
2008011982.tif 000002
【特許請求の範囲】
【請求項１】
身体の表面に当接される装身シートであって、
複数の貫通孔が形成されているシート本体と、
このシート本体の貫通孔に着脱自在に装着される少なくとも一個のチップ部品と、
を有する装身シート。
【請求項２】
前記シート本体の少なくとも一部が所定方向に伸縮自在に形成されており、
前記シート本体の伸縮自在な部分に前記貫通孔が細長いスリット状に形成されており、
前記シート本体の伸縮方向と前記貫通孔の長手方向とが一致している請求項１に記載の装身シート。
【請求項３】
前記シート本体が長手方向に伸縮自在なベルト状に形成されており、
前記シート本体の貫通孔が細長いスリット状に形成されており、
前記シート本体と前記貫通孔との長手方向が一致している請求項１に記載の装身シート。
【請求項４】
前記シート本体は、
相対的に長いスリット状の複数の前記貫通孔と短いスリット状の複数の補助孔とが形成されており、
複数の前記貫通孔が矩形格子に配列されており、
複数の前記補助孔が矩形格子に配列されており、
複数の前記貫通孔と複数の前記補助孔とが相互には千鳥格子に配列されている請求項２または３に記載の装身シート。
【請求項５】
身体の表面に当接される装身シートであって、
少なくとも一面が雌型の面ファスナとして形成されているシート本体と、
少なくとも一個のチップ部品と、
前記チップ部品に固定されていて前記シート本体の少なくとも一面に着脱自在に装着される雄型の面ファスナと、
を有する装身シート。
【請求項６】
前記シート本体は柔軟で少なくとも一部が伸縮自在に形成されている請求項１または５に記載の装身シート。
【請求項７】
前記チップ部品は、
大径の両端部が小径の中央部で連結されている形状の台座部と、
この台座部の少なくとも一方の端面に位置して前記身体に当接される機能部と、
を有する請求項１ないし４の何れか一項に記載の装身シート。
【請求項８】
前記台座部は、前記両端部の一方と前記中央部とが着脱自在に連結されている請求項７に記載の装身シート。
【請求項９】
前記チップ部品は、
裏面に前記面ファスナが固定されている台座部と、
この台座部の表面に位置して前記身体に当接される機能部と、
を有する請求項５に記載の装身シート。
【請求項１０】
前記台座部に別体の前記機能部が装着されている請求項７ないし９の何れか一項に記載の装身シート。
【請求項１１】
前記台座部がチタンを主体として形成されている請求項７ないし１０の何れか一項に記載の装身シート。
【請求項１２】
前記機能部が、ゲルマニウム、シリカ、チタン、酸化チタン、ラジウム、トルマリン、ジルコニア、の少なくとも一つを主体として形成されている請求項７ないし１１の何れか一項に記載の装身シート。
【請求項１３】
前記チップ部品の少なくとも一部がマグネットで形成されている請求項７ないし１２の何れか一項に記載の装身シート。
【請求項１４】
前記チップ部品の表面が前記身体に向かって突出した形状に形成されている請求項１ないし１３の何れか一項に記載の装身シート。
【請求項１５】
前記チップ部品の前記身体に当接する表面が、半球状、ドーム状、円錐状、角錐状、の何れか一つに形成されている請求項１４に記載の装身シート。
【請求項１６】
身体の表面に当接される装身シートのシート本体に装着されるチップ部品であって、
大径の両端部が小径の中央部で連結されている形状の台座部と、
この台座部の少なくとも一方の端面に位置して前記身体に当接される機能部と、
を有するチップ部品。
【請求項１７】
身体の表面に当接される装身シートのシート本体に装着されるチップ部品であって、
台座部と、
この台座部の表面に位置して前記身体に当接される機能部と、
前記台座部の裏面に固定されている雄型の面ファスナと、
を有するチップ部品。
【請求項１８】
請求項１ないし４の何れか一項に記載の装身シートのシート本体であって、
前記チップ部品が着脱自在に装着される複数の貫通孔が形成されているシート本体。
【発明の詳細な説明】
【技術分野】
【０００１】
本発明は、身体の表面に当接される装身シートに関し、特に、身体の表面にチップ部品を当接させる構造の装身シートに関する。
【背景技術】
【０００２】
現在、ゲルマニウムやマグネットなどは、身体の表面に当接させることで健康を増進させる効果があると云われている。
【０００３】
そこで、ゲルマニウムの金属球やマグネットなどを粘着シートの粘着面に装着した製品がある。このような製品では、その粘着シートを身体の表面に貼着することで、金属球等を身体の表面に当接させることができる(例えば、特許文献１参照)。
【０００４】
また、身体に巻回できるベルト体の内面に金属球等を装着した製品もある。このような製品では、そのベルト体を身体の所望の部分に巻回することで、金属球等を身体の表面に当接させることができる(例えば、特許文献２，３参照)。
【特許文献１】特開２００５−２９６４５５号公報
【特許文献２】特開２００６−１１０１７９号公報
【特許文献３】特開平０７−１６３０１号公報
【発明の開示】
【発明が解決しようとする課題】
【０００５】
粘着シートの粘着面に金属球等が装着されている製品では、身体の表面の所望の位置に金属球等を当接させることができる。しかし、粘着シートを身体に貼着することは不快感を伴い、体質によっては皮膚にかぶれ等が発生することもある。
【０００６】
さらに、粘着シートによる粘着では、金属球等を身体の表面に当接させることはできるが、圧接させることは困難である。このため、いわゆるツボに金属球等を圧接させることによる、指圧効果などは期待することができない。
【０００７】
上述のような課題は、ベルト体の内面に金属球等を装着した製品には発生しない。しかし、このような製品では、身体の所望の位置に所望の個数の金属球等を自在に当接させるようなことはできない。
【０００８】
つまり、上述のような製品ではベルト体の内面に金属球等が固定されている。このため、身体の特定の箇所に当接させる金属球等の個数を所望により増減させるようなことができない。さらに、身体に当接させる複数の金属球等の配列を所望により変更するようなこともできない。
【０００９】
本発明は上述のような課題に鑑みてなされたものであり、粘着シートを身体に貼着する必要がなく、それでいて身体の所望の位置に所望の個数のチップ部品を当接させることができる装身シートを提供するものである。
【課題を解決するための手段】
【００１０】
本発明の第一の装身シートは、身体の表面に当接される装身シートであって、複数の貫通孔が形成されている柔軟なシート本体と、このシート本体の貫通孔に着脱自在に装着される少なくとも一個のチップ部品と、を有する。
【００１１】
従って、本発明の装身シートでは、シート本体に形成されている複数の貫通孔にチップ部品が着脱自在に装着されるので、シート本体に対するチップ部品の位置が自在に変更される。
【００１２】
本発明の第二の装身シートは、身体の表面に当接される装身シートであって、少なくとも一面が雌型の面ファスナとして形成されているシート本体と、少なくとも一個のチップ部品と、チップ部品に固定されていてシート本体の少なくとも一面に着脱自在に装着される雄型の面ファスナと、を有する。
【００１３】
従って、本発明の装身シートでは、シート本体の雌型の面ファスナとして形成されている一面にチップ部品が着脱自在に装着されるので、シート本体に対するチップ部品の位置が自在に変更される。
【００１４】
本発明の第一のチップ部品は、身体の表面に当接される装身シートのシート本体に装着されるチップ部品であって、大径の両端部が小径の中央部で連結されている形状の台座部と、この台座部の少なくとも一方の端面に位置して身体に当接される機能部と、を有する。従って、本発明のチップ部品は、シート本体の複数の貫通孔に着脱自在に装着されるので、これで身体に機能部が当接する位置が自在に変更される。
【００１５】
本発明の第二のチップ部品は、身体の表面に当接される装身シートのシート本体に装着されるチップ部品であって、台座部と、この台座部の表面に位置して身体に当接される機能部と、台座部の裏面に固定されている雄型の面ファスナと、を有する。従って、本発明のチップ部品は、面ファスナの雌型からなるシート本体に着脱自在に装着されるので、これで身体に機能部が当接する位置が自在に変更される。
【００１６】
本発明のシート本体は、本発明の装身シートのシート本体であって、全体が柔軟に形成されており、チップ部品が着脱自在に装着される複数の貫通孔が形成されている。従って、本発明のシート本体では、形成されている複数の貫通孔にチップ部品が着脱自在に装着されるので、チップ部品の位置が自在に変更される。
【発明の効果】
【００１７】
本発明の装身シートでは、シート本体に対するチップ部品の位置が自在に変更されるので、粘着シートを身体に粘着させるような構成を必要とすることなく、身体の所望の位置に所望の個数のチップ部品を当接させることができ、例えば、いわゆるツボにチップ部品を当接させることによる健康増進を期待するようなことができる。
【発明を実施するための最良の形態】
【００１８】
本発明の実施の一形態を図面を参照して以下に説明する。本実施の形態の装身シート１００は、身体の表面に当接される装身シート１００であって、図１に示すように、複数の貫通孔１１１が形成されている柔軟なシート本体１１０と、このシート本体１１０の貫通孔１１１に着脱自在に装着される少なくとも一個のチップ部品１２０と、を有する。
【００１９】
より詳細には、シート本体１１０は、例えば、身体の腰部(図示せず)などに巻回されるため、この用途に適切なベルト状に形成されている。さらに、シート本体１１０は、例えば、一端の一面に雄型の面ファスナ１１５が装着されている。
【００２０】
そして、シート本体１１０は、その全面が雌型の面ファスナとして機能する布体で形成されている。このため、シート本体１１０の一端の面ファスナ１１５を、シート本体１１０の所望の位置に着脱自在に装着することができる。
【００２１】
また、シート本体１１０は、ゴムコードを所定方向に縫製した方向性のある織物で形成されている。このため、シート本体１１０は、略全体が長手方向には伸縮自在であり、短手方向には伸縮困難に形成されている。
【００２２】
貫通孔１１１は、細長いスリット状に形成されており、シート本体１１０と貫通孔１１１との長手方向が一致している。なお、本実施の形態の装身シート１００では、シート本体１１０の略全域に、相対的に長いスリット状の複数の貫通孔１１１と短いスリット状の複数の補助孔１１２とが二次元状に配列されて形成されている。
【００２３】
複数の貫通孔１１１は、矩形格子に配列されており、複数の補助孔１１２は、矩形格子に配列されている。そして、複数の貫通孔１１１と複数の補助孔１１２とが相互には千鳥格子に配列されている。
【００２４】
一方、チップ部品１２０は、図２に示すように、大径の両端部１２１，１２２が小径の中央部１２３で連結されている形状の台座部１２４と、この台座部１２４の少なくとも一方の端面に位置して身体に当接される機能部１２５と、からなる。
【００２５】
より具体的には、図３に示すように、台座部１２４の機能部１２５が搭載されていない一方の端部１２１は、シート本体１１０の貫通孔１１１の長手方向の全長より、わずかに大径の円盤状に形成されている。
【００２６】
台座部１２４の機能部１２５が搭載されている他方の端部１２２は、シート本体１１０の貫通孔１１１の長手方向の全長より、充分に大径の円盤状に形成されている。そして、台座部１２４の中央部１２３は、シート本体１１０の貫通孔１１１の短手方向の全幅と同等の直径の軸状に形成されている。
【００２７】
また、台座部１２４の端部１２２は、その端面に凹部が形成されており、この凹部に別体の機能部１２５が接着で固定されている。台座部１２４は、チタンで形成されており、機能部１２５は、機能として健康増進を期待できる材料であるゲルマニウムで形成されている。機能部１２５は、図２および図３に示すように、その身体に当接する表面が、身体に向かって突出した扁平な円錐状に形成されている。
【００２８】
上述のような構成において、本実施の形態の装身シート１００は、例えば、一枚のシート本体１１０と、複数のチップ部品１２０と、のセットとして利用者に提供される。この装身シート１００の利用者は、所望の個数のチップ部品１２０をシート本体１１０の所望の貫通孔１１１に装着する。
【００２９】
そして、そのシート本体１１０を身体に巻回し、シート本体１１０を伸張させた状態で、その一端の面ファスナ１１５をシート本体１１０の表面に接合させる。これでシート本体１１０は身体に巻回された状態で張力により保持される。
【００３０】
すると、このシート本体１１０の張力によりチップ部品１２０が身体の表面に圧接される。このチップ部品１２０がゲルマニウムからなるため、その成分による健康増進の効果を期待することができる。
【００３１】
本実施の形態の装身シート１００では、上述のようにシート本体１１０に形成されている複数の貫通孔１１１にチップ部品１２０が着脱自在に装着されることにより、シート本体１１０に対するチップ部品１２０の位置を自在に変更することができる。このため、粘着シートを身体に粘着させるようなことを必要とすることなく、身体の所望の位置に所望の個数のチップ部品１２０を当接させることができる。
【００３２】
特に、複数の貫通孔１１１がシート本体１１０の略全域に二次元状に配列されて形成されている。このため、シート本体１１０の所望の位置にチップ部品１２０を自在に配置することができる。
【００３３】
しかも、上述のようにシート本体１１０にチップ部品１２０を装着する構造が、チップ部品１２０の外形とシート本体１１０の貫通孔１１１とで実現されている。このため、その構造が簡単であり、生産性が良好な装身シート１００を提供することができる。
【００３４】
また、ボタンをスリットに挿入するときと同様な操作により、簡単にシート本体１１０にチップ部品１２０を装着することができる。特に、チップ部品１２０の端部１２１はシート本体１１０の貫通孔１１１より大径であるが、シート本体１１０が伸縮自在なので、その貫通孔１１１にチップ部品１２０を容易に装着することができる。
【００３５】
しかも、ベルト状のシート本体１１０の伸縮方向と、細長いスリット状の貫通孔１１１の長手方向と、が一致している。このため、身体に保持させるためにシート本体１１０を伸張させても、貫通孔１１１が開口することがなく、むしろ幅狭となる。
【００３６】
従って、チップ部品１２０を貫通孔１１１に装着したシート本体１１０を伸張させても、その貫通孔１１１からチップ部品１２０が脱落することがなく、むしろ、より良好に保持される。
【００３７】
さらに、身体に巻回されるシート本体１１０に多数の貫通孔１１１が形成されているので、その通気性が良好で身体の蒸れを防止することができる。なお、チップ部品１２０を貫通孔１１１に装着すると、その貫通孔１１１はチップ部品１２０で閉止される。
【００３８】
しかし、その位置ではチップ部品１２０のためにシート本体１１０が身体に密着することなく遊離する。このため、その隙間により通気性が確保されることになる。従って、本実施の形態の装身シート１００は、良好な通気性を全体に均質に実現することができる。
【００３９】
また、シート本体１１０に矩形格子に各々配列されている長い貫通孔１１１と短い補助孔１１２とが、相互には千鳥格子に配列されている。このため、補助孔１１２がない場合に比較して、シート本体１１０の伸縮による応力集中が発生せず、シート本体１１０を全体に均質に伸縮させることができる。
【００４０】
さらに、チップ部品１２０の台座部１２４と機能部１２５とが別体に形成されているので、各々に最適な物性を付与することができる。より具体的には、台座部１２４はチタンで形成されているので、軽量かつ強固である。
【００４１】
しかも、チタンからなる台座部１２４は、身体との親和性が良好であり、かぶれや金属アレルギなどを発生しにくい。機能部１２５は、ゲルマニウムからなるので、健康増進の効果を期待することができる。
【００４２】
さらに、この機能部１２５が円錐状に形成されているので、その身体に当接する表面が凸状に形成されている。このため、機能部１２５により、いわゆるツボを良好に刺激することが期待できる。特に、シート本体１１０が伸縮自在なので、その張力によりチップ部品１２０を身体に圧接させることができ、より良好にツボを刺激することが期待できる。
【００４３】
なお、本発明は本実施の形態に限定されるものではなく、その要旨を逸脱しない範囲で各種の変形を許容する。例えば、上記形態では装身シート１００のシート本体１１０が腰部に巻回されるベルト状に形成されていることを例示した。
【００４４】
しかし、シート本体が、腕部や脚部に巻回されるベルト状、頭部に巻回されるベルト状、等に形成されていてもよい。また、シート本体が、例えば、ベルト以外の形状に形成されていてもよく、衣料や装身具の一部として形成されていてもよい。
【００４５】
また、上記形態ではシート本体１１０の全体が伸縮自在であることを例示した。しかし、柔軟で伸縮自在な部分と、柔軟ではあるが伸縮不能の部分と、を有する構造にシート本体が形成されていてもよい。
【００４６】
なお、このような構造のシート本体の伸縮不能の部分にチップ部品１２０が装着される貫通孔を形成した場合、その貫通孔はシート本体の伸縮方向に細長いスリット状である必要もない。
【００４７】
さらに、上記形態ではシート本体１１０に長い貫通孔１１１と短い補助孔１１２とが千鳥配列に形成されていることを例示した。しかし、長い貫通孔１１１のみが千鳥格子や矩形格子に配列されていてもよい。
【００４８】
また、上記形態ではチップ部品１２０の機能部１２５がゲルマニウムで形成されていることを例示した。しかし、このような機能部は、健康増進を期待できる材料で形成されていればよく、例えば、シリカ、チタン、酸化チタン、ラジウム、トルマリン、ジルコニア、の少なくとも一つを主体として形成されていてもよい。
【００４９】
さらに、上記形態では台座部１２４がチタンで形成されていることを例示した。しかし、台座部がセラミックや樹脂で形成されていてもよい。また、チップ部品の一部ないし全部がマグネットで形成されていてもよい。
【００５０】
さらに、上記形態では機能部１２５が台座部１２４に接着で固定されていることを例示した。しかし、機能部が台座部に、溶接、圧入、焼き嵌め、ネジ締結、Ｅリング保持、等で装着されていてもよい。
【００５１】
また、上記形態ではチップ部品１２０の台座部１２４と機能部１２５とが別体に形成されていることを例示した。しかし、台座部と機能部とがゲルマニウムや酸化チタンなどで一体に形成されていてもよい。
【００５２】
さらに、上記形態ではチップ部品１２０の機能部１２５の表面が円錐状に形成されていることを例示した。しかし、角錐状に形成されていてもよく、その突出の度合や先端の先鋭さも各種に形成することができる。
【００５３】
さらに、図４(ａ)に示すように、チップ部品１３０の機能部１３１の表面が半球状に形成されていてもよい。図４(ｂ)に示すように、チップ部品１３２の機能部１３３の表面が半球状より扁平なドーム状に形成されていてもよい。図４(ｃ)に示すように、チップ部品１３４の機能部１３５の表面が平坦に形成されていてもよい。
【００５４】
また、上記形態では一個のシート本体１１０と複数のチップ部品１２０とがセットとして利用者に提供されることを例示した。しかし、複数種類のシート本体と複数種類のチップ部品とをセットとして利用者に提供してもよい。
【００５５】
この場合、利用者は複数種類のシート本体と複数種類のチップ部品とを所望により自在に組み合わせて利用することができるので、例えば、腰部にゲルマニウムのチップ部品を当接させながら、脚部に酸化チタンのチップ部品を当接させるようなことができる。
【００５６】
さらに、複数種類のシート本体と、複数種類のチップ部品と、を別個に利用者に販売することもできる。また、一個のシート本体１１０と複数のチップ部品１２０とをセットとして販売してから、相違する種類のシート本体やチップ部品をオプションとして別売してもよい。
【００５７】
また、上記形態ではチップ部品１２０の台座部１２４の一対の端部１２１，１２２と中央部１２３とが一体に形成されていることを例示した。しかし、一対の端部１２１，１２２の一方が中央部１２３に対して着脱自在に形成されていてもよい。
【００５８】
より具体的には、図５に例示するチップ部品１４０では、既存のホックが台座部１４１として利用されている。このため、台座部１４１は、雄ホック１４２と雌ホック１４３からなる。
【００５９】
雄ホック１４２は、表面に機能部１２５が装着されており、裏面には中央部となる凸部１４４が一体に形成されている。雌ホック１４３は、雄ホック１４２の凸部１４４が着脱自在に装着される開口孔１４５が形成されている。
【００６０】
上述のようなチップ部品１４０をシート本体１１０に装着するときは、その雄ホック１４２と雌ホック１４３とを分離させる。つぎに、シート本体１１０の貫通孔１１１に雄ホック１４２の凸部１４４を挿入し、この凸部１４４に雌ホック１４３を装着する。
【００６１】
従って、より簡単にチップ部品１４０をシート本体１１０に装着することができる。しかも、上述のように雄ホック１４２および雌ホック１４３として既存のホックを利用することができるので、チップ部品１４０を容易に量産することができる。
【００６２】
また、一般的に雄ホック１４２と雌ホック１４３とが連結されると、いわゆるクリック音がするので、シート本体１１０にチップ部品１４０が装着されたことを聴覚的に確認することができる。
【００６３】
さらに、上記形態ではシート本体１１０の貫通孔１１１にチップ部品１２０が一個ずつ装着されることを例示した。しかし、図６に示すように、少数のチップ部品１２０を小型のシート体１５０に装着しておき、このシート体１５０とともにチップ部品１２０をシート本体１１０に装着してもよい。
【００６４】
なお、この場合は、シート本体１１０の伸縮がシート体１５０により阻害される懸念がある。そこで、これが問題となる場合には、シート体１５０も伸縮自在としておくこと、図６(ａ)に示すように、シート本体１１０の伸縮方向にはチップ部品１２０が一個のみとなるようにシート体１５０を配置すること、等がよい。
【００６５】
さらに、上記形態では幅広のシート本体１１０に二次元状に貫通孔１１１が形成されていることを例示した。しかし、図７に示すように、幅狭のシート本体１５１に一次元状に貫通孔１１１が形成されていてもよい。このような幅狭で伸縮自在なシート本体１５１は既存の技術で容易に量産することができ、例えば、ブラジャーのベルト部分、等に利用することができる(図示せず)。
【００６６】
また、上記形態では伸縮自在なシート本体１１０にチップ部品１２０が装着されることを例示した。しかし、社員証のネックホルダのベルト部分などのように、伸縮不能のシート本体(図示せず)にチップ部品１２０が装着されてもよい。なお、このように伸縮しないシート本体の貫通孔にチップ部品１２０を装着することが容易ではない場合、前述のようにホック構造のチップ部品１４０を利用すればよい。
【００６７】
また、上記形態ではシート本体１１０の複数の貫通孔１１１にチップ部品１２０が着脱自在に装着されることを例示した。しかし、図８に例示する装身シート２００のように、シート本体２１０の表面全域にチップ部品２２０を面ファスナで着脱自在としてもよい。
【００６８】
この場合、シート本体２１０の表面を雌型の面ファスナとして形成しておく。また、チップ部品２２０は、例えば、台座部２２１の表面に機能部１２５を装着しておき、台座部２２１の平坦な裏面に雄型の面ファスナ２２２を装着しておく。
【００６９】
この場合も、シート本体２１０の表面全域にチップ部品２２０を着脱自在に装着することができるので、シート本体２１０に対するチップ部品２２０の位置を自在に変更することができる。
【００７０】
ただし、チップ部品２２０は小径であるため、チップ部品２２０に装着した雄型の面ファスナ２２２が良好に機能しない懸念がある。そこで、これが問題となる場合には、図９に例示するように、例えば、チップ部品２２０より大面積の雄型の面ファスナ２２３の表面に、少数のチップ部品２２０を装着しておけばよい。
【図面の簡単な説明】
【００７１】
【図１】本発明の実施の形態の装身シートの構造を示す分解斜視図である。
【図２】チップ部品の構造を示す縦断側面図である。
【図３】(ａ)はシート本体にチップ部品が装着される状態を示す分解斜視図、(ｂ)は装着された状態を示す縦断側面図、である。
【図４】各種の変形例のチップ部品の構造を示す縦断側面図である。
【図５】他の変形例の装身シートの組立構造を示す分解斜視図である。
【図６】さらに他の変形例の装身シートを示す分解斜視図である。
【図７】さらに他の変形例の装身シートを示す分解斜視図である。
【図８】さらに他の変形例の装身シートを示す分解斜視図である。
【図９】さらに他の変形例の装身シートを示す分解斜視図である。
【符号の説明】
【００７２】
１００    装身シート
１１０    シート本体
１１１    貫通孔
１１２    補助孔
１１５    面ファスナ
１２０    チップ部品
１２１    端部
１２２    端部
１２３    中央部
１２４    台座部
１２５    機能部
１４０    チップ部品
１４１    台座部
１４２    雄ホック
１４３    雌ホック
１４４    凸部
１４５    開口孔
１５０    シート体
１５１    シート本体
２００    装身シート
２１０    シート本体
２２０    チップ部品
２２１    台座部
２２２    面ファスナ
２２３    面ファスナ
【図１】
2008011982.tif 000003
【図２】
2008011982.tif 000004
【図３】
2008011982.tif 000005
【図４】
2008011982.tif 000006
【図５】
2008011982.tif 000007
【図６】
2008011982.tif 000008
【図７】
2008011982.tif 000009
【図８】
2008011982.tif 000010
【図９】
2008011982.tif 000011